【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
個別生体の将来の健康状態を予測する健康状態予測システムであって、
前記個別生体に関連する個別生体情報を入力する入力手段と、
前記個別生体と同種の生体に関連する生体情報と健康状態情報とが関連付けられた健康情報データが蓄積されている健康情報データベースと、
前記健康情報データベースにおいて、前記入力手段により入力された前記個別生体情報と関連する健康状態情報を選択し、かつ前記選択した健康状態情報に基づき前記個別生体の将来の健康状態予測情報を生成する個別健康状態予測情報生成手段と、
前記個別健康状態予測情報を出力する健康状態予測情報出力手段を有する
健康状態予測システム。
【請求項２】
前記健康情報データベースが、前記個別生体と同種の複数の生体から得られた生体情報と健康状態情報とが関連付けられた集団健康情報データが蓄積された集団健康情報データベースである請求項１記載の健康状態予測システム。
【請求項３】
さらに、前記個別生体に関する個別健康状態情報を入力する個別健康状態情報入力手段を有し、
前記入力された個別健康状態情報に基づき前記健康情報データベースの前記健康情報データを更新する健康情報データ更新手段とを有する請求項１または２記載の健康状態予測システム。
【請求項４】
さらに、個別生体の健康情報データを蓄積する個別健康情報データベースと、
前記個別生体に関する個別健康状態情報を入力する個別健康状態情報入力手段と、
入力された個別健康状態情報と前記個別生体情報とを関連付けた個別健康情報データを生成する個別健康情報データ生成手段と、
前記個別健康情報データを前記個別健康情報データベースに蓄積する個別健康情報データ蓄積手段とを有し、
前記個別健康状態予測情報生成手段は、前記健康情報データベースおよび前記個別健康情報データベースの少なくとも一方において、前記入力手段により入力された前記個別生体情報と関連する健康状態情報を選択し、かつ前記選択した健康状態情報に基づき前記個別生体の将来の健康状態予測情報を生成する
請求項１から３のいずれか一項に記載の健康状態予測システム。
【請求項５】
前記健康情報データベースおよび前記個別健康情報データベースの少なくとも一方において、前記健康情報データおよび前記個別健康情報データの少なくとも一方の一部または全部が、時系列的に蓄積されている請求項１から４のいずれか一項に記載の健康状態予測システム。
【請求項６】
前記個別健康状態予測情報生成手段において、前記生成される健康状態予測情報が、前記個別生体情報が入力された時点から一定期間の将来にわたり、前記個別生体の情報の入力された時点の状態が継続されたと仮定し、前記仮定および前記選択した健康状態情報に基づき前記個別生体の将来の健康状態予測情報を生成する
請求項１から５のいずれか一項に記載の健康状態予測システム。
【請求項７】
前記個別生体情報が、コード化されたコード情報であり、前記個別生体情報入力手段が、前記コード情報を読取可能である請求項１から６のいずれか一項に記載の健康状態予測システム。
【請求項８】
前記健康情報データおよび前記個別健康情報データを解析し、前記解析結果から、新規健康情報データを生成する新規データ生成手段を含む請求項１から７のいずれか一項に記載の健康状態予測システム。
【請求項９】
前記個別生体が個人であり、前記個別生体情報が摂食暦であり、前記健康状態情報が、疾病情報であり、前記個別健康状態情報が前記個人の疾病情報であり、前記健康状態予測情報が、前記個人の疾病予測情報である請求項１から８のいずれか一項に記載の健康状態予測システム。
【請求項１０】
前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含む請求項９記載の健康状態予測システム。
【請求項１１】
個人の健康状態を維持または向上させるための飲食物およびサプリメントの少なくとも一方を含む推奨メニューを提供することで前記個人の健康管理を支援する健康管理支援システムであって、請求項９または１０記載の健康状態予測システムを含み、さらに、前記健康状態予測システムから出力された前記個人の疾病予測情報を基に推奨メニューを生成する推奨メニュー生成手段と、前記推奨メニューを表示する推奨メニュー表示手段とを含む健康管理支援システム。
【請求項１２】
個別生体の将来の健康状態を予測するネットワーク健康状態予測システムであって、
端末と、サーバーとを有し、
前記端末およびサーバーは、システム外の通信網を介して接続可能であり、
前記端末は、
前記個別生体に関連する個別生体情報を入力する入力手段と、
前記端末内の情報を前記通信網を介して前記サーバーに送信する端末側送信手段と、
前記サーバーから送信された情報を前記通信網を介して受信する端末側受信手段と、
前記端末内の情報を表示する表示手段と
を有し、
前記サーバーは、
前記サーバー内の情報を前記通信網を介して前記端末に送信するサーバー側送信手段と、
前記端末から送信された情報を前記通信網を介して受信するサーバー側受信手段と
前記個別生体と同種の生体に関連する生体情報と健康状態情報とが関連付けられた健康情報データが蓄積されている健康情報データベースと、
前記健康情報データベースにおいて前記サーバー側受信手段により受信した前記個別生体情報と関連する健康状態情報を選択し、かつ前記選択した健康状態情報に基づき前記個別生体の将来の健康状態予測情報を生成する個別健康状態予測情報生成手段と、
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システム。
【請求項１３】
請求項１２記載のネットワーク健康状態予測システムに用いるサーバーであって、
前記サーバーは、
前記サーバー内の情報を前記通信網を介して前記端末に送信するサーバー側送信手段と、
前記端末から送信された情報を前記通信回線を介して受信するサーバー側受信手段と
前記個別生体と同種の生体に関連する生体情報と健康状態情報とが関連付けられた健康情報データが蓄積されている健康情報データベースと、
前記健康情報データベースにおいて前記サーバー側受信手段により受信した前記個別生体情報と関連する健康状態情報を選択し、かつ前記選択した健康状態情報に基づき前記個別生体の将来の健康状態予測情報を生成する個別健康状態予測情報生成手段と、
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システム用サーバー。
【請求項１４】
請求項１２記載のネットワーク健康状態予測システムに用いる端末であって、
前記端末は、
前記個別生体に関連する個別生体情報を入力する入力手段と、
前記端末内の情報を前記通信回線を介して前記サーバーに送信する端末側送信手段と、
前記サーバーから送信された情報を前記通信回線を介して受信する端末側受信手段と、
前記端末内の情報を表示する表示手段と
を有し、
少なくとも前記個別生体情報が、前記端末側送信手段から前記サーバー側受信手段に送信され、かつ前記個別健康状態予測情報が、前記サーバー側送信手段から前記端末側受信手段に送信され、前記端末において、受信した前記個別健康状態予測情報が、前記表示手段によって表示される
ネットワーク健康状態予測システム用端末。
【請求項１５】
個別生体の将来の健康状態を予測する健康状態予測装置であって、請求項１から１０のいずれか一項に記載の健康状態予測システムを含む健康状態予測装置。
【請求項１６】
個人の健康状態を維持または向上させるための飲食物メニューを提供することで前記個人の健康管理を支援する健康管理支援装置であって、請求項１１の健康管理支援システムを含む健康管理支援装置。
【請求項１７】
個別生体の将来の健康状態を予測する健康状態予測方法であって、
前記個別生体に関連する個別生体情報を入力する入力ステップと、
前記個別生体と同種の生体に関連する生体情報と健康状態情報とが関連付けられた健康情報データが蓄積されている健康情報データベースを用い、前記入力された前記個別生体情報と関連する健康状態情報を選択し、かつ前記選択した健康状態情報に基づき前記個別生体の将来の健康状態予測情報を生成する個別健康状態予測情報生成ステップと、
前記個別健康状態予測情報を出力する健康状態予測情報出力ステップを有する
健康状態予測方法。
【請求項１８】
前記個別生体が個人であり、前記個別生体情報が摂食暦であり、前記健康状態情報が、疾病情報であり、前記個別健康状態情報が前記個人の疾病情報であり、前記健康状態予測情報が、前記個人の疾病予測情報である請求項１７記載の健康状態予測方法。
【請求項１９】
前記健康情報データおよび前記個別健康情報データが、前記摂食暦および前記疾病情報の統計データを含み、前記個人の疾病予測情報が、前記統計データからの疾病発症確率データおよび疾病程度の少なくとも一方を含む請求項１８記載の健康状態予測方法。
【請求項２０】
個人の健康状態を維持または向上させるための飲食物およびサプリメントの少なくとも一方を含む推奨メニューを提供することで前記個人の健康管理を支援する健康管理支援方法であって、請求項１８または１９記載の健康状態予測方法を含み、さらに、前記健康状態予測方法により出力された前記個人の疾病予測情報を基に推奨メニューを生成する推奨メニュー生成ステップと、前記推奨メニューを表示する推奨メニュー表示ステップとを含む健康管理支援方法。
【請求項２１】
請求項１７から２０のいずれか一項に記載の方法をコンピュータ上で実行可能なコンピュータプログラム。
【請求項２２】
請求項２１記載のコンピュータプログラムを格納した記録媒体。